(57)【要約】【課題】住宅等に設けるサッシ下枠であって、サッシ枠並びにガラスに発生した結露が室内側に流入するのを防止すると共に、サッシ下枠を利用してハンガー等を掛けるフック受けレールとして利便に使用することができるようにしたサッシ下枠の多機能結露受け構造を提供する。【解決手段】サッシ枠を設けた開口窓の額縁の下縁を構成するサッシ下枠を硬質合成樹脂より構成し、該サッシ下枠の室内に臨む上縁に沿ってサッシ下枠の上面より上方に突出した上縁突出部を形成すると共に、該上縁突出部から下方に垂下した垂下側部を形成し、該上縁突出部でサッシ下枠の上面に流下した結露が室内側へ流入するのを阻止し、且つ上縁突出部に引っ掛けた上部フックを有するフック部材の下方側部を上縁突出部の下方の垂下側部に当接して、該フック部材の下部フックに物品を掛けるようにした。【選択図】図３
2015017441.tif 000002
【特許請求の範囲】
【請求項１】
サッシ枠を設けた開口窓の額縁の下縁を構成するサッシ下枠を硬質合成樹脂より構成し、該サッシ下枠の室内に臨む上縁に沿ってサッシ下枠の上面より上方に突出した上縁突出部を形成すると共に、該上縁突出部から下方に垂下した垂下側部を形成し、該上縁突出部でサッシ下枠の上面に流下した結露が室内側へ流入するのを阻止し、且つ上縁突出部に引っ掛けた上部フックを有するフック部材の下方側部を上縁突出部の下方の垂下側部に当接して、該フック部材の下部フックに物品を掛けるようにしたことを特徴とするサッシ下枠の多機能結露受け構造。
【請求項２】
サッシ枠を設けた開口窓の額縁の下縁を構成する既存のサッシ下枠の室内に臨む上縁に沿って該サッシ下枠の上面より上方に突出した上縁突出部を有する硬質合成樹脂よりなる上縁枠部材を形成すると共に、該上縁枠部材はサッシ下枠の上面に載置する上縁部と該上縁部の下面に設けた軟質合成樹脂シール部と既存のサッシ下枠の前面に当ててネジで固定する垂下側部とを有し、該上縁枠部材でサッシ下枠の上面に流下した結露が室内側へ流入するのを阻止し、且つ上縁突出部に引っ掛けた上部フックを有するフック部材の下方側部を上縁突出部の下方の垂下側部に当接して、該フック部材の下部フックに物品を掛けるようにしたことを特徴とするサッシ下枠の多機能結露受け構造。
【発明の詳細な説明】
【技術分野】
【０００１】
本発明は、住宅等に設けるサッシ窓の額縁の下縁を構成する下枠（以下「サッシ下枠」と云う）に関するものであり、サッシ枠並びにガラスに生じた結露が室内側に流入するのを防止すると共に、ハンガー等を掛けておくことができるサッシ下枠の多機能結露受け構造に関する。
【背景技術】
【０００２】
従来、アルミニウム等の金属を用いたサッシ枠を組み立ててサッシ窓を形成する場合、木材等の構造材にサッシ枠を直接固定するようにしていた。ところが、住宅の内外の温度差が大きく、また湿度が高い時期には、室内側のサッシ枠とガラスに結露が生じ、この結露が木材等の構造材に滲みこむことによって、変質や腐食が生じるという問題があった。
【０００３】
また、近年においては、マンション等の高度化が進み、室内の気密性アップによる窓まわりの結露が原因となり、壁のクロス材にカビが発生して黒ずんだ色に変色したり、ダニが発生するという問題があった。
【０００４】
さらに、木製サッシ枠に塗布したペンキが結露の発生によって剥がれ易くなり、定期的に塗装を行う必要があった。また、サッシ枠がシート貼りの場合、結露によるシートの剥がれが発生しやすく、貼替えの必要が生じるという問題があった。
【０００５】
このようなサッシ枠並びにガラスに生じる結露の問題に対処して案出された構造が特許文献１に記載され  ている。この構造は、サッシ枠並びにガラスの室内側に発生した結露を室外に流出させるため、窓台とサッシ枠との間に、上面が室外側へ傾斜した傾斜面を有する遮水部材を設けると共に、遮水部材の内側に沿って所定ピッチをあけて複数の排水溝を形成したものである。
【０００６】
ところが、このような結露を処理する構造は、後付けで施工することができないため、取付け工事に手間と費用を要するという問題があった。また、複数の排水溝によって、外気が室内へ流入するという不都合が生じるものである。
【先行技術文献】
【特許文献】
【０００７】
【特許文献１】特開平１０−２９２７４５号公報
【発明の概要】
【発明が解決しようとする課題】
【０００８】
また、サッシ窓を構成する額縁、或いは窓台にハンガー等のフックを掛けたりする場合、上面が平状な額縁や窓台である場合、フックが引っ掛け難く、また額縁や窓台にフックを引っ掛けた場合、フックに掛けた衣服に上記の結露が落下して、衣服を汚してしまうというという問題があった。
【０００９】
なお、本発明の以下の説明では、サッシ窓を構成している額縁の下枠、或いは窓台を含めて、サッシ枠を設けた開口窓の額縁の下縁を構成する部材を「サッシ下枠」という名称で総称することとする。
【００１０】
本発明は、上記の事情に鑑みてなされたものであり、住宅等に設けるサッシ下枠であって、サッシ枠並びにガラスに発生した結露が室内側に流入するのを防止すると共に、サッシ下枠を利用してハンガー等を掛けるフック受けレールとして利便に使用することができるようにしたサッシ下枠の多機能結露受け構造を提供することを目的とする。
【課題を解決するための手段】
【００１１】
上記の課題を解決するために、本発明の請求項１のサッシ下枠の多機能結露受け構造は、サッシ枠を設けた開口窓の額縁の下縁を構成するサッシ下枠を硬質合成樹脂より構成し、該サッシ下枠の室内に臨む上縁に沿ってサッシ下枠の上面より上方に突出した上縁突出部を形成すると共に、該上縁突出部から下方に垂下した垂下側部を形成し、該上縁突出部でサッシ下枠の上面に流下した結露が室内側へ流入するのを阻止し、且つ上縁突出部に引っ掛けた上部フックを有するフック部材の下方側部を上縁突出部の下方の垂下側部に当接して、該フック部材の下部フックに物品を掛けるようにしたことを特徴とする。
【００１２】
また、本発明の請求項２のサッシ下枠の多機能結露受け構造は、サッシ枠を設けた開口窓の額縁の下縁を構成する既存のサッシ下枠の室内に臨む上縁に沿って該サッシ下枠の上面より上方に突出した上縁突出部を有する硬質合成樹脂よりなる上縁枠部材を形成すると共に、該上縁枠部材はサッシ下枠の上面に載置する上縁部と該上縁部の下面に設けた軟質合成樹脂シール部と既存のサッシ下枠の前面に当ててネジで固定する垂下側部とを有し、該上縁枠部材でサッシ下枠の上面に流下した結露が室内側へ流入するのを阻止し、且つ上縁突出部に引っ掛けた上部フックを有するフック部材の下方側部を上縁突出部の下方の垂下側部に当接して、該フック部材の下部フックに物品を掛けるようにしたことを特徴とする。
【発明の効果】
【００１３】
本発明の請求項１のサッシ下枠の多機能結露受け構造は、サッシ枠を設けた開口窓の額縁の下縁を構成するサッシ下枠を、従来の木製ではなく、硬質合成樹脂製によって形成しているため、経年変化が少なく、ペンキ等の塗装やシート材の必要もなく、水分の浸入もないため、サッシ下枠の耐久性が極めて良好なものとなる。
【００１４】
また、サッシ下枠の室内に臨む上縁に沿って上縁突出部が設けられ、この上縁突出部は、サッシ下枠の上面より上方に突出した構成であるため、この上縁突出部によってサッシ下枠の上面に流下した結露が室内側へ流入するのを阻止することが可能となる。
【００１５】
従って、サッシ枠並びにガラスに発生した結露は、サッシ下枠の上面へ流下し、その流下した結露は上縁突出部で阻止され、サッシ下枠の上面に溜まった状態となる。この水分を雑巾等で容易にふき取ることができ、サッシ下枠を清潔に保っておくことができるため、カビやダニの発生を防止することが可能となる。
【００１６】
さらに、サッシ下枠の室内に臨む上縁に沿って形成された上縁突出部にフック部材の上部に形成した上部フックを引っ掛けることにより、フック部材の下部フックにハンガー等を引っ掛けておくことが可能であり、サッシ下枠から室内側に結露が流下することがないため、ハンガー等に掛けた衣服が結露で濡れたり、汚れたりすることがない。
【００１７】
また、本発明の請求項２のサッシ下枠の多機能結露受け構造は、サッシ枠を設けた開口窓の額縁の下縁を構成するサッシ下枠が木製等で構成されている既存のものである場合、この既存のサッシ下枠の室内に臨む上縁に沿って、後付けで上縁枠部材を取り付けることが可能である。この上縁枠部材は、サッシ下枠の上面に載置する上縁部と該上縁部の下面に設けた軟質合成樹脂シール部と既存のサッシ下枠の前面に当ててネジで固定する垂下側部とを有し、軟質合成樹脂シール部によってサッシ下枠との接触面のシール性能を確保した状態で、サッシ下枠の上面に流下した結露が室内側へ流入するのを上縁枠部材によって阻止することが可能となる。
【００１８】
従って、サッシ下枠の室内に臨む上縁に沿って、後付けで上縁枠部材を取り付けた場合でも、上記のサッシ下枠と同様に、サッシ枠並びにガラスに発生した結露は、サッシ下枠の上面へ流下し、その流下した結露は上縁突出部で阻止され、サッシ下枠の上面に溜まった状態となる。また、この水分を雑巾等で容易にふき取ることができ、サッシ下枠を清潔に保っておくことができるため、カビやダニの発生を防止することが可能となる。
【００１９】
また、上縁枠部材の上縁突出部に引っ掛けたフック部材の上部に形成した上部フックの下方側部を上縁枠部材の垂下側部に当接し、該フック部材の下部フックにハンガー等の物品を掛けることも可能である。この場合もまた、サッシ下枠から室内側に結露が流下することがないため、ハンガー等に掛けた衣服が結露で濡れたり、汚れたりすることがない。
【図面の簡単な説明】
【００２０】
【図１】本発明の実施例１におけるサッシ下枠の多機能結露受け構造に用いるサッシ下枠の斜視図である。
【図２】本発明の実施例１におけるサッシ下枠の多機能結露受け構造に用いるサッシ下枠を開口窓に取り付けた状況を示す断面図である。
【図３】（ａ）〜(ｃ)は、本発明の実施例１におけるサッシ下枠の多機能結露受け構造に用いるサッシ下枠の上縁突出部に各種のフック部材を取り付けた状態を示す部分断面図である。
【図４】本発明の実施例１におけるサッシ下枠の多機能結露受け構造に用いるサッシ下枠の他の実施例を示す側面図である。
【図５】本発明の実施例２におけるサッシ下枠の多機能結露受け構造に用いるサッシ下枠の斜視図である。
【図６】本発明の実施例２におけるサッシ下枠の多機能結露受け構造に用いるサッシ下枠を開口窓に取り付けた状況を示す部分断面図である。
【図７】本発明の実施例２におけるサッシ下枠の多機能結露受け構造に用いるサッシ下枠の上縁突出部にフック部材を取り付けた状態を示す部分断面図である。
【図８】本発明の実施例２におけるサッシ下枠の多機能結露受け構造に用いるサッシ下枠の他の実施例を示す部分断面である。
【発明を実施するための形態】
【００２１】
以下、本発明の実施形態について図面を参照しながら説明する。
【実施例１】
【００２２】
本実施例のサッシ下枠の多機能結露受け構造は、図２に示すように、サッシ枠２を設けた開口窓３の額縁４の下縁を構成するサッシ下枠１を硬質合成樹脂より構成したものである。即ち、実施例１のサッシ下枠１は、図２に示すように、開口窓３にサッシ枠２を取り付ける施工時において、開口窓３の額縁４の下縁を構成するサッシ下枠１を、従来の木製ではなく、硬質合成樹脂製によって構成したものである。
【００２３】
サッシ下枠１の形状は、図１又は図２に示すように、断面が長方形状の本体部５を有し、サッシ下枠１の室内に臨む上縁に沿ってサッシ下枠１の上面６より上方に突出した上縁突出部７を形成すると共に、上縁突出部７から下方に垂下した垂下側部８を形成したものである。
【００２４】
このような構成において、サッシ下枠１の外側の上縁に沿ってサッシ枠２の下枠板２ａを載置する段差溝６ａが形成され、図２に示すように、段差溝６ａにサッシ枠２の下枠板２ａを固定することによって、サッシ枠２の下枠板２ａとサッシ下枠１の上面６とが同一の高さとなるようにしている。
【００２５】
また、図２に示すように、サッシ下枠１は開口窓３の下側に設けられる下壁材１０の前面に、サッシ下枠１の上縁突出部７から下方に垂下した垂下側部８の内側面を当てた状態で取り付けると、サッシ下枠１の室内に臨む上縁に沿って上縁突出部７が設けられた構成となる。この上縁突出部７は、サッシ下枠１の上面より上方に突出することにより、上縁突出部７によってサッシ下枠１の上面に流下した結露が室内側へ流入するのを阻止するものである。
【００２６】
なお、上記の構成によれば、サッシ枠２並びにガラスに発生した結露は、サッシ下枠１の上面へ流下し、その流下した結露は上縁突出部７で阻止されるため、サッシ下枠１の上面に溜まった状態となる。このサッシ下枠１の上面の結露は、雑巾等で容易にふき取ることができ、サッシ下枠１を清潔に保っておくことが可能である。
【００２７】
また、サッシ下枠１は、上記のように硬質合成樹脂より形成されているため、経年変化が少なく、ペンキ等の塗装やシート材の必要もなく、水分の浸入もないため、上記のようにサッシ下枠１の上面の水分をふき取ることによって、カビやダニの発生を防止することが可能となる。
【００２８】
さらに、本実施例において、サッシ下枠１の室内に臨む上縁に沿って形成された上縁突出部７は、図１又は図２に示すように、断面円形に近似した断面湾曲状に形成してあり、図３（ａ）〜(ｃ)に示すように、上縁突出部７にフック部材９の上部に形成した上部フック１１を引っ掛けておき、又は上縁突出部７をレールのように利用してフック部材９を横方向に移動することが可能である。
【００２９】
このフック部材９は、断面湾曲状の上縁突出部７の周りに回動することが可能であり、その回動の角度によって上縁突出部７から上部フック１１を取付け、また取り外すことが可能である。また、上部フック１１の下方に形成された下方側部１２をサッシ下枠１の垂下側部８に当接することによって安定した固定状態にし、該フック部材９の下部フック１３にハンガー等の物品を引っ掛けておくことが可能である。
【００３０】
本実施例において、図３(ａ)に示すフック部材９は、上記のように上部に形成した上部フック１１と、その下部に形成した下方側部１２と、下方側部１２の下端から前方上方へ屈曲した下部フック１３を有するものである。また、図３(ｂ)に示すフック部材９は、上記のように上部に形成した上部フック１１と、その下部に形成した下方側部１２と、下方側部１２の下端から傾斜前方へ屈曲した下部フック１３と、さらにサッシ下枠１の下方に垂下した垂下側部８の下端を支持する後方突出部１４と、さらにその下部にて後方へ屈曲形成された後方フック１５が形成された構成を有する。
【００３１】
この図３（ａ）及び(ｂ)に示すフック部材９の下部フック１３にハンガー等を引っ掛けておくこともでき、サッシ下枠１から室内側に結露が流下することがないため、ハンガー等に掛けた衣服が結露で濡れたり、汚れたりすることがない。
【００３２】
また、図３(ｃ)に示すフック部材９は、上記のように上部に形成した上部フック１１と、その下部に形成した下方側部１２と、下方側部１２の前方に長尺を有するアーム１６と、アーム１６の上部を構成する補強リブ１６ａと、補強リブ１６ａの上縁に間隔をあけて形成した複数の引っ掛け溝１７と、アーム１６の先端に形成されたポール受け部１８とを有する。このようなフック部材９の場合、各引っ掛け溝１７にハンガー等を掛けることが可能である。また、２個以上のフック部材９を間隔を開けてサッシ下枠１の上縁突出部７に取り付けることにより、各ポール受け部１８に不図示のポールを掛けることも可能である。
【００３３】
なお、図４に示すサッシ下枠１は、本体部５が断面長方形状であり、サッシ下枠１の室内に臨む上縁に沿って設けた上縁突出部７を断面角形としたものである。また、この上縁突出部７から下方には、図１〜図３に示すものと同様に、垂下した垂下側部８を形成してあり、断面角形の上縁突出部７に応じた断面角形に屈曲した上部フック１１を上縁突出部７に引っ掛け、その下方側部１２をサッシ下枠１の垂下側部８の前面に当接することによって安定した固定状態にして、フック部材９の下部フック１３に物品を引っ掛けておくことが可能である。
【実施例２】
【００３４】
本実施例のサッシ下枠の多機能結露受け構造は、図６に示すように、サッシ枠２を設けた開口窓３の額縁４の下縁を構成するサッシ下枠１９が木製等で構成されている既存のものである場合にも適用可能であり、この既存のサッシ下枠１９の室内に臨む上縁に沿って、後付けで上縁枠部材２０を取り付けることが可能である。
【００３５】
即ち、本実施例は、図６に示すように、既存のサッシ下枠１９の室内に臨む上縁に沿って該サッシ下枠１９の上面より上方に突出した上縁突出部２１を有する硬質合成樹脂よりなる上縁枠部材２０を形成する。この上縁枠部材２０は、既存のサッシ下枠１９の上面に載置する上縁部２２と該上縁部２２の下面に設けた軟質合成樹脂シール部２３と既存のサッシ下枠１９の前面に当ててネジ２４で固定する垂下側部２５とを有し、上縁枠部材２０で既存のサッシ下枠１９の上部に流入した結露が室内側へ流入するのを阻止するようにしている。
【００３６】
また、垂下側部２５には、図５に示すように、横方向に間隔を開けてネジ２４の頭部２４ａ（図６参照）を収納する円形の溝部２６が形成されている。
【００３７】
なお、上記の構成において、上縁枠部材２０の上縁部２２の下面に設けた軟質合成樹脂シール部２３は、硬質合成樹脂よりなる上縁部２２に二色成形によって形成することも可能である。また、軟質合成樹脂シール部２３は、既存のサッシ下枠１９の上面に接着剤を介して接着してもよく、軟質合成樹脂シール部２３によって既存のサッシ下枠１９の上面に密着することによって優れたシール性能を発揮することが可能である。
【００３８】
このような構成により、本実施例の上縁枠部材２０は、既存のサッシ下枠１９が木製等で構成されたものであっても、該上縁枠部材２０の上縁突出部２１でサッシ下枠１９の上部に流入した結露が室内側へ流入するのを阻止することが可能である。また、サッシ下枠１９の上面に流下した結露は、上記のように上縁突出部２１で阻止され、サッシ下枠１９の上面に溜まった状態となるが、この水分を雑巾等で容易にふき取ることができ、サッシ下枠１９を清潔に保ち、カビやダニの発生を防止することが可能となる。
【００３９】
また、本実施例においても、図７に示すように、上縁枠部材２０の上縁突出部２１にフック部材９の上部フック１１を引っ掛け、下方側部１２を上縁枠部材２０の垂下側部２５の前面で支持することによって、フック部材９の下部フック１３に物品を掛けることが可能となる。なお、図７に示すフック部材９は、図３（ａ）に示すフック部材９と同様の構成であるが、本実施例において、図３(ｂ)又は(ｃ)に示すフック部材９を使用することも可能である。
【００４０】
なお、図８に示す上縁枠部材２０は、既存のサッシ下枠１９の室内に臨む上縁に沿って設けた上縁突出部２１が、図１〜図３に示す上縁突出部７のように断面湾曲形状ではなく、断面角形としたものである。また、上縁突出部２１から下方には、図１〜図３に示すものと同様に、下方に垂下した垂下側部２５を形成し、不図示であるが、図３に示すように断面角形の上縁突出部２１に応じた断面角形に屈曲したフック部材９の上部フック１１を上縁突出部２１に引っ掛け、フック部材９の下部フック１３に物品を引っ掛けておくことが可能である。
【産業上の利用可能性】
【００４１】
本発明のサッシ下枠の多機能結露受け構造は、住宅等に設けるサッシ下枠であって、サッシ枠並びにガラスに発生した結露が室内側に流入するのを防止すると共に、サッシ下枠を利用してハンガー等を掛けるフック受けレールとして利便に使用することができるようにしたサッシ下枠の多機能結露受け構造として利用可能である。
【符号の説明】
【００４２】
１  サッシ下枠
２  サッシ枠
２ａ  下枠板
３  開口窓
４  額縁
５  本体部
６  サッシ下枠の上面
６ａ  段差溝
７  上縁突出部
８  垂下側部
９  フック部材
１０  下壁材
１１  上部フック
１２  下方側部
１３  下部フック
１４  後方突出部
１５  後方フック
１６  アーム
１６ａ  補強リブ
１７  引っ掛け溝
１８  ポール受け部
１９  サッシ下枠
２０  上縁枠部材
２１  上縁突出部
２２  上縁部
２３  軟質合成樹脂シール部
２４  ネジ
２４ａ  ネジの頭部
２５  垂下側部
２６  溝部
【図１】
2015017441.tif 000003
【図２】
2015017441.tif 000004
【図３】
2015017441.tif 000005
【図４】
2015017441.tif 000006
【図５】
2015017441.tif 000007
【図６】
2015017441.tif 000008
【図７】
2015017441.tif 000009
【図８】
2015017441.tif 000010